(57)【要約】【課題】スーパーインポーズや文字等を表す情報の色を、色弱者が識別可能な色に簡単に設定できるようにした情報表示装置及び情報表示方法を提供することである。【解決手段】可視波長特性に応じて複数のパターンに分類されたそれぞれの色弱者が識別可能な色を表す色情報を色情報記憶手段２８に記憶し、この複数のパターンの中から所望のパターンを選択手段３２で選択し、選択されたパターンに属する色弱者が識別可能な色で表される所定の情報を情報表示手段２２，３５又は３９にて表示する。【選択図】図１
2010122519.tif 000002
【特許請求の範囲】
【請求項１】
可視波長特性に応じて複数のパターンに分類されたそれぞれの色弱者が識別可能な色を表す色情報を記憶する色情報記憶手段と、
上記複数のパターンの中から所望のパターンを選択する選択手段と、
該選択手段により選択されたパターンに属する色弱者が識別可能な色で表される所定の情報を表示する情報表示手段と、
を備えたことを特徴とする情報表示装置。
【請求項２】
上記情報表示手段に表示された上記所定の情報の色を、ユーザーの手動操作に応じて修正するための色修正手段をさらに備えたことを特徴とする請求項１に記載の情報表示装置。
【請求項３】
可視波長特性に応じて複数のパターンに分類されたそれぞれの色弱者が識別可能な色を表す色情報を記憶するステップと、
上記複数のパターンの中から所望のパターンを選択するステップと、
該選択されたパターンに属する色弱者が識別可能な色で表される所定の情報を表示するステップと、
を含むことを特徴とする情報表示方法。
【発明の詳細な説明】
【技術分野】
【０００１】
本発明は情報表示装置及び情報表示方法に係り、特にファインダ装置を備えたカメラにおいて、どのような被写体においても、また視覚を有する者であれば誰でも容易にファインダ内の表示を視認できるようにした情報表示装置及び情報表示方法に関するものである。
【背景技術】
【０００２】
従来から、ファインダ装置を備えたカメラにおいて、ファインダ内表示装置としては、ＴＮ型液晶パネル及び、合焦点マーク（以下スーパーインポーズと呼ぶ）としてＬＥＤ発光を用いることが多い。  
このような例の先行技術として、特開２００６−３３４３５号公報に記載のものがある。該公報に記載の技術は、背景色に対して見やすい色のスーパーインポーズ表示を行うようにスーパーインポーズの色をユーザー操作により指定するようにしたものである。
【特許文献１】特開２００６−３３４３５号公報
【発明の開示】
【発明が解決しようとする課題】
【０００３】
ところで、日本国内に男性５％、女性０．２％いると言われている色弱者に対しては可視波長領域も異なるうえ、そのタイプもいくつか分類(例えば、Ｄ型：緑の感度が弱い、Ｐ型：赤の感度が弱い）されており、ファインダ内の表示が見えにくいといった問題が生じている。  
従来技術においては、バックライトやスーパーインポーズ表示に単色発光ＬＥＤを用いている為、その発光周波数は固定であり、被写体及び、設定に応じた色の変化を加えることができない。
【０００４】
また、既に、３色ＬＥＤを用いて好きな色に光らせるという技術があるが、色弱者が自分が視認しやすい色味に表示色等をチューニングするのには、時間がかかり、かつ面倒であった。  
特開２００６−３３４３５号公報に記載されている技術についても、色弱者が識別可能なＬＥＤの色を簡単に設定できるようにはなっていない。  
そこで、本発明は上記のような課題を解決するもので、スーパーインポーズや文字等を表す情報の色を、色弱者が識別可能な色に簡単に設定できるようにした情報表示装置及び情報表示方法を提供することを目的とするものである。
【課題を解決するための手段】
【０００５】
本発明による情報表示装置は、可視波長特性に応じて複数のパターンに分類されたそれぞれの色弱者が識別可能な色を表す色情報を記憶する色情報記憶手段と、上記複数のパターンの中から所望のパターンを選択する選択手段と、該選択手段により選択されたパターンに属する色弱者が識別可能な色で表される所定の情報を表示する情報表示手段と、を備えたことを特徴とする。
【０００６】
また、本発明による情報表示方法は、可視波長特性に応じて複数のパターンに分類されたそれぞれの色弱者が識別可能な色を表す色情報を記憶するステップと、上記複数のパターンの中から所望のパターンを選択するステップと、該選択されたパターンに属する色弱者が識別可能な色で表される所定の情報を表示するステップと、を含むことを特徴とする。
【発明の効果】
【０００７】
本発明の情報表示装置及び情報表示方法によれば、スーパーインポーズや文字等の情報を表す色を、色弱者が識別可能な色に簡単に設定することができる。
【発明を実施するための最良の形態】
【０００８】
発明の実施の形態について図面を参照して説明する。  
以下の実施形態は、ファインダ装置を備えたカメラ(例えば一眼レフカメラ)におけるファインダ内の表示を行う情報表示装置について説明する。
【０００９】
図１は本発明の一実施形態の情報表示装置のブロック図を示している。  
図１において、カメラ１０は、撮影レンズ５１及び光学ＬＰＦを有してなる光学系１１と、撮影レンズ５１を構成する不図示のフォーカスレンズを駆動するレンズドライブ部と、撮像素子１２と、ＣＤＳ/ＡＧＣ部(相関二重サンプリング部及び自動利得制御部)１３と、Ａ/Ｄ部(アナログ/デジタル変換部)１４と、ＤＳＰ(デジタルシグナルプロセッサ)１５と、タイミングジェネレータ部(ＴＧ部と略記)１６と、撮像素子ドライバ部１７と、ＡＥ/ＡＦ部(自動露出/自動合焦部)１８と、ＲＡＭ１９と、圧縮/伸張部２０と、記録媒体２１と、カメラ１０の背面に画像や関連する情報を表示するための情報表示手段としてのＬＣＤ部(液晶表示部)２２と、バックライト部２４と、バックライトドライバ部２５と、照度センサ２７と、色情報記憶手段としてのＥＥＰＲＯＭ(Electrically Erasable and Programmable ROMの略)２８と、電圧判定部２９と、電源部３０と、プログラムメモリとしてのＲＯＭ３１と、選択手段としての操作ボタン３２と、ファインダ内に表示される被写体の焦点が合った位置を示すためのスーパーインポーズ表示を行うための情報表示手段としてのＬＥＤ部３５と、このＬＥＤ部３５をドライブするためのドライバ部３４と、ファインダ内にシャッタースピードや絞り値等の情報を表示するための情報表示手段としてのＬＣＤ部３９と、ＬＣＤ部３９を駆動するためのＬＣＤドライバ部３８と、このＬＣＤ部３９の背面から照明するためのバックライト部３７と、このバックライト部３７をドライブするためのバックライトドライブ部３６と、ＣＰＵ３３とを備えている。なお、ＬＥＤ部３５、バックライト部３７，ＬＣＤ部３９によりファインダ内ＬＥＤ及びＬＣＤ表示部４７を構成する。ＣＤＳ/ＡＧＣ部１３と、Ａ/Ｄ部１４と、ＴＧ部１６とは、プリプロセス部２３を構成している。
【００１０】
上記の構成において、被写体からの被写体像は撮影レンズ５１及び光学ＬＰＦ１１を通り撮像素子１２の撮像面にて結像する。  
ＴＧ部１６にて撮像素子１２を駆動させる為のタイミングパルス信号を生成し、その信号を基に撮像素子ドライバ１７にて撮像素子ドライブ信号を生成する。撮像素子１２からの撮像信号はプリプロセス部２３にて適切にデジタル信号へ変換される。
【００１１】
次に、変換されたデジタル信号はＤＳＰ（Digital Signal Processor)１５にて画像処理を施され、ＡＥ/ＡＦ部１８を駆動させる為の判断材料となる画像データを生成すると共に、バッファとしてのＲＡＭ１９を経由してＬＣＤ部２２に出力する信号を生成する。  
詳しくは、ＤＳＰ１５で生成された画像データは一旦ＲＡＭ１９に格納され、圧縮/伸長部２０を経てメモリカード等の記録媒体２１に保存される。一方、ＬＣＤ部２２に表示する画像はＤＳＰ１５にて生成され、ＲＡＭ１９に一時格納された後、ＬＣＤ部２２に供給される。ＬＣＤ部２２は、ＣＰＵ３３で制御されるバックライトドライバ部２５によって駆動されるバックライトを用いて照射されてカメラ１０の背面に画像の表示が行われる。
【００１２】
バックライトドライバ部２５は照度センサ２７の出力をＣＰＵ３３が受け取り、その出力に応じてバックライト部２４の駆動制御を行う。  
また、操作ボタン３２にてＬＣＤ部２２の明るさを明るくするという操作設定がなされた場合にもバックライトドライバ部２５はバックライト部２４の駆動制御を行う。
【００１３】
電源部３０はバッテリー(電池)による直流電源を意味しており、電圧判定部２９は電源部３０の出力電圧を判定するブロックである。電圧判定部２９にて所定の電圧に満たないことを判定すると、ＣＰＵ３３はバッテリー残量が少ないことを示す文字或いはマークを生成してＬＣＤ部２２の画面上に画像に重ねて表示する。  
不揮発性メモリであるＥＥＰＲＯＭ２８は、可視波長特性に応じて複数のパターンに分類されたそれぞれの色弱者が識別可能な色を表す色情報や色調整結果を記憶する。
【００１４】
ＬＥＤドライバ部３４は、ファインダ内にスーパーインポーズ表示するためのＬＥＤ部３５を駆動するためのドライバである。このＬＥＤ部３５は、ファインダ内の中央部水平方向に所定間隔を置いて設けられた３つののマークを表示するように３組のＬＥＤで構成される。それぞれの組のＬＥＤは、Ｒ(赤)，Ｂ(青)，Ｇ(緑)の３色の各ＬＥＤ1，ＬＥＤ2，ＬＥＤ3を含み、カラー発光が可能な構造となっている。  
ＬＥＤドライバ部３４は、ＣＰＵ３３によってそれぞれの組のＬＥＤを構成する３色の各ＬＥＤ1，ＬＥＤ2，ＬＥＤ3それぞれを、例えばＰＷＭ制御によって強度(明るさ)を制御できる。
【００１５】
カメラ１０のライブビュー状態において、レリーズボタン(シャッタボタン)が半押しされると、ＬＥＤ部３５により表示されるマークに対応する被写体領域のうち、いずれかの領域に最初に焦点が合うまで、ＣＰＵ３３によりレンズドライバ部１を介して撮影レンズ５１が駆動される。そして、いずれかの領域の被写体像に焦点が合うと撮影レンズ５１の駆動が停止され、ＬＥＤ部３５の３組のＬＥＤのうち、焦点が合っている被写体領域に対応して設けられた組（１組とは限らない）のＬＥＤが発光する。つまり、焦点が合ったときに、ファインダ内の画面上でＬＥＤが光って合焦点であることを表示する。つぎに撮影レンズ５の駆動を停止する。そして、フォーカスレンズのレリーズボタンが全押しされると静止画の撮影が行われる。
【００１６】
図２は図１のカメラ１０におけるファインダ光学系の斜視図を示している。図１に記載した構成と同一部分については同一符号を付している。  
図２に示すファインダ光学系は、撮像素子１２と、ローパスフィルタ(以下、ＬＰＦと略記)またはダミーガラス４２と、メインミラー４３と、スクリーン４４と、ファインダ光学系の接眼レンズ４５と、ハーフミラー４６と、ファインダ内ＬＥＤ及びＬＣＤ表示部４７と、光学屈折用ミラー４８と、光学屈折用ミラー４９と、接眼レンズ保護カバーガラス５０と、撮影レンズ５１と、を有している。また、二点鎖線にて示すラインがスーパーインポーズ光路である。
【００１７】
図２において、符号４０は被写体(図示略)からの光(これは光軸に対応している)であり、メインミラー４３で図示右側へ反射しスーパーインポーズ用のスクリーン４４を通過し、ハーフミラー４６で光の一部が上に反射すると同時にハーフミラー４６で図示下方からのファインダ内ＬＥＤ及びＬＣＤ４７からの光と合成した後、さらに光学屈折用ミラー４８，４９で順次反射して、ファインダを構成する光学系の接眼レンズ４５及び接眼レンズ保護カバーガラス５０を通して撮影者の眼に入る。シャッターを切った瞬間にメインミラー４３がその図示右端が左端を中心に光軸に平行となる方向に回転し、被写体からの光が直進し、ＬＰＦまたはダミーガラス４２を通過してＣＣＤまたはＣＯＭＳで構成される撮像素子１２の撮像面に入り、被写体の画像データとして取り込まれる。
【００１８】
図３は図２におけるスーパーインポーズ用のスクリーン４４の正面図を示している。  
図３に示すスクリーン４４は、半透明部材４４-1と、この半透明部材４４-1のＬＥＤ光照射側に形成した黒丸●の印字又は削り４４-2とを備えている。スクリーン４４には、ファインダ内中央水平方向に所定間隔を置いて配置された３箇所の焦点検出領域内には、それぞれ●マークが設定されている。上述したように、ＬＥＤ部３５の３組のＬＥＤのうちいずれかに対応する領域の被写体像に焦点が合うと、撮影レンズ５１の駆動が停止される。そして、焦点が合っている被写体領域に対応して設けられたＬＥＤが発光し、この発光したＬＥＤに対応して設けられた●マークを照明する。
【００１９】
図４はスクリーン４４の他の例を示している。図４に示すスクリーン４４は、透明部材４４-1のＬＥＤ光照射側に、図３の黒丸●の印字又は削り４４-2の代わりに、矩形枠□の印字又は削り４４-3を備えている。  
図５はファインダを覗いた時に、スーパーインポーズＬＥＤの発光が照射されている様子を示している。カメラ１０をライブビュー状態とし、レリーズボタン(シャッタボタン)を半押しし、ピントが合ったときのＬＥＤ発光状態を示している。つまり、実際の使用状態で、背景画面として例えば山の景色が表示されており、その背景画面上の所定の３つの位置(領域)にスーパーインポーズＬＥＤの発光が重なって表示されている。図５は、後に示す図７における色弱者モード選択時のS2の状態（全部点灯）を示す。ここでは、色弱者用にスーパーインポーズＬＥＤを黄色に発光させ、ＬＣＤ部３９のバックライト部３７も緑色に発光させた場合を示している。
【００２０】
図６はＬＥＤドライバ部３４及びＬＥＤ３５の構成の一部と、ＬＥＤドライバ部３４を制御することができるＣＰＵ３３を示している。図６のＲ用ＬＥＤ1，Ｂ用ＬＥＤ2，Ｇ用ＬＥＤ3の三色発光用の３つのＬＥＤが、図５の１つのスーパーインポーズ用ＬＥＤ（１組のＬＥＤ）に相当する。図６では、図５の３組のＬＥＤのうちの１組のＬＥＤのみのＬＥＤドライバ部３４の一部及びＬＥＤ部３５の一部の構成を示しているが、図５のように３つのスーパーインポーズ表示を行う場合には、ＬＥＤ部３５のうち残りの組も図６と同様の構成にする必要がある。ＬＥＤ部３５はＣＰＵ３３の同じ３つの制御端子に並列に接続されて各色毎の明るさが制御され、また電源についても同じＣＰＵ用電源部(図１の電源部３０の一部)に並列に接続されて３組の各色ＬＥＤ(ＬＥＤ1，ＬＥＤ2，ＬＥＤ3)に電流が供給され、それらの各色の電流量の制御がＣＰＵ３３による各色毎のＰＷＭ制御によってなされるようになっている。なお、Ｒ，Ｂ，Ｇ各色ＬＥＤ1，ＬＥＤ2，ＬＥＤ3にはそれぞれ、直列に電流制限用の抵抗が接続してある。
【００２１】
図６の例では、Ｒ，Ｂ，Ｇ各色ＬＥＤ1，ＬＥＤ2，ＬＥＤ3に対して、ＣＰＵ電源部から各色ドライブ用トランジスタＱ1，Ｑ2，Ｑ3の各コレクタ・エミッタを通して各色用ドライブ電流が供給される。各コレクタ・エミッタに流れる電流は、ＣＰＵ３３によって各色毎に例えばＰＷＭ１００％，ＰＷＭ５０％，ＰＷＭ２０％になるように各色ドライブ用トランジスタＱ1，Ｑ2，Ｑ3の各ベースがＰＷＭ制御用パルスによって制御される。これによって、パルスの繰り返し周期に対するパルス幅の割合１００％，５０％，２０％に応じて、各色ドライブ用トランジスタＱ1，Ｑ2，Ｑ3のオン時間が１００％，５０％，２０％に制御されて点灯される。従って、３色ＬＥＤに対するＰＷＭ制御パルスのパルス幅を各色毎に変えることによって、各色ＬＥＤの光量(明るさ)を変化させ、三色光混合によって生成される混光色の色味を変えることができる。
【００２２】
図７は以上述べた構成の本実施形態の動作を説明するフローチャートを示している。  
まず、カメラ１０の電源をオンにする。  
次に、メニューを表示させ、メニュー項目の中からファインダ内表示色弱モードが選択されたか否かを判定する。このファインダ内表示色弱モードの選択は、メニューキーを押してモード選択画面を表示させた後、十字キー(上下左右の各キー)を上下左右に操作することによって行うことができる(ステップＳ1)。ファインダ内表示色弱モードを選択することによって、色調整の機能のためのメニュー画面の表示がなされる。
【００２３】
なお、ステップＳ1でファインダ内表示色弱モードを選択しないときは、通常のカメラ動作を行い（ステップＳ11）、ステップＳ10のカメラ電源のオフステップでオフされていなければ、再びステップＳ1にリターンする。  
ステップＳ1でファインダ内表示色弱モードが選択されると、ステップＳ2に示すように現状設定されているＬＥＤの発光色の設定をしやすいようにファインダ内表示用ＬＥＤが例えば全部点灯する(図８乃至図１０では３つのＬＥＤ全てが点灯する)。ここで、何個点灯するかは、デフォルト値として予め決めておいてもよいし、或いは、前回設定されている設定値とするよう予め決めておいてもよい。
【００２４】
次に、図９に示すメニュー画面において、テーブル部１０２より色弱モードの種別を選択し、次に調整対象として(1)ＬＥＤ部３５のＬＥＤの発光色の色味調整か、(2)ＬＣＤ部３９の色味調整か、を選択する。これらの選択には、十字キーを上下左右に操作することによって行う(ステップＳ3)。  
以上の選択を行った後に、ＯＫキー（３２−７）を押下する(ステップＳ4)。次に、メニュー画面の右側のインジケータ部の操作に移行するために、十字キーのうちの右キー（３２−６）を押下する(ステップＳ5)。
【００２５】
ＲＧＢ各色のインジケータ操作により、操作に応じてＬＥＤドライバ部３４のうち各色に対応したＬＥＤドライバ部を動作させる。メニュー画面の左下側に表示されているファインダ表示画面のおよその色味を見ながらＬＥＤ部３５の色を微調整する(ステップＳ6)。具体的には、色調整時は、右側の各色のインジケータ部での上下方向の設定位置(△印)に対応して十字キーの上下キー（３２−３、３２−４）を操作することによって調整し、色選択時は、十字キーの左右キー（３２−５、３２−６）を操作することによってＧ，Ｂ，Ｒの順に色調整を選択する。
【００２６】
次に、以上の調整が完了したか否かの判定に入る。調整完了であれば、ＯＫキーを押下する(ステップＳ7)。  
この押下によって、ＣＰＵ３３は調整結果を不揮発性メモリであるＥＥＰＲＯＭ２８へ格納した後(ステップＳ8)、以降のＬＥＤ発光色を調整結果をもとに表示する(ステップＳ9)。  
そして、ステップＳ10へ移行し、電源がオフされたか否かを判定する。電源がオフされていなければ、再びステップＳ1にリターンする。
【００２７】
図８はファインダ内表示色弱モード選択時のカメラ１０の背面図を示している。また、図９は図８の背面パネルに映し出されるメニュー画面(Ｐ型弱度を選択時)を示し、図１０はメニュー画面(Ｃ型(正常者)を選択時)を示している。
【００２８】
図８に示すカメラ背面には、背面パネル６２が左側に、操作ボタン３２が右側に、ファインダ６１が左側上部に配設されている。背面パネル６２は図１に示したＬＣＤ部２２で構成されている。背面パネル６２には、ファインダ内表示色弱モードにおける初期状態の調整用メニュー画面が映出されている。初期状態では、ＬＥＤ部３５によるスーパーインポーズ表示、及びＬＣＤ部３９によるシャッタースピードなどの表示が、例えば正常者の(Ｃ型)に対応する調整状態で示されている。このとき、ファインダ６１内においても背景色は予め定められた所定色(例えばブルー色)に表示され、その背景色領域のファインダ越しに見える風景と重ねて所定の位置にスーパーインポーズＬＥＤの表示色が重なって表示される。
【００２９】
背面パネル６２には、図９に示すようにファインダ内の表示と同じ表示態様(ＬＥＤ部３５によるスーパーインポーズ表示及びＬＣＤ部３９による表示)を拡大して表示するファインダ内表示の拡大表示部１０１のほかに、色弱モードの種別(例えば、Ｐ型強弱(第１色盲及び色弱)、Ｄ型強弱(第２色盲及び色弱)、Ｃ型(正常))を選択するための表示を行う分割パターン表示部としてのテーブル部１０２、発光色或いは表示色を構成するＲ，Ｂ，Ｇ各色の色調整レベルを調整(修正)するための表示を行う色修正手段としてのインジケータ部１０３、の各表示領域が形成されている。なお、バックライト部３７は、光源としてＬＥＤを用いている。
【００３０】
操作ボタン３２は、メニューキー３２-1及び３２-2と、十字キーを構成する上キー３２-3，下キー３２-4，左キー３２-5，右キー３２-6及びＯＫキー３２-7とを備えている。  
背面パネル６２には、図９に示すように、色弱モード選択用のテーブル部１０２の表示、色調整用のインジケータ部の表示、ファインダ６１内における表示画面の拡大表示、がされている。
【００３１】
ファインダ６１内における表示画面には、ＬＥＤ部３５によるスーパーインポーズ表示と、ＬＣＤ部３９による表示(文字表示)と、がなされている。  
インジケータ部の表示は、Ｇ，Ｂ，Ｒ三色のインジケータ表示と、各色のインジケータにおける強度(明るさ)の位置を示す△印表示と、を備えている。△印表示は、レベル位置を示す矢印表示であって、色調整時に十字キーの上下キー３２-3，３２-4の操作によって上下方向での色の強度(明るさ)の位置が調整されて設定されることになる。
【００３２】
図９及び図１０はファインダ内表示色弱モード選択時に背面パネル６２に表示されるメニュー画面表示を示しているが、図９はＰ型弱度を選択した時の表示状態であり、図１０はＣ型(正常者)を選択した時の表示状態である。テーブル部１０２において、選択された分類パターン(図では斜線を施してある)には色弱者が視認し得る着色が施されて表示される。
【００３３】
図９では、Ｐ型弱度を選択したときの初期の状態では、インジケータ部のＢの設定値が零（△印表示が最下端）で、ＧとＲが等しく明るさに応じた所定値に設定される。この設定状態では、スーパーインポーズＬＥＤがほぼ黄色に発光する。そして、図示の状態から上下キーの操作で各色ＬＥＤによる混光色をマニュアルで微調整することができる。また、図１０では、Ｃ型(正常者)を選択したときの初期の状態では、インジケータ部のＧ，Ｂが零，Ｒの設定値は明るさに応じた所定値に設定される。この設定状態では、スーパーインポーズＬＥＤが赤色に発光する。そして、図示の状態から上下キーの操作で各色ＬＥＤによる混光色をマニュアルで微調整することができる。
【００３４】
以上述べた図５及び図８〜図１０でファインダ内表示のＬＣＤ部３９の表示色は、Ｐ型の色弱者にも見易い色として緑色に設定されているものとしてある。  
なお、テーブル部１０２、調整対象(ＬＥＤ部３５/ＬＣＤ部３９)はそれぞれ別画面（コマ送り）で表示しても良い。  
以上のようにして、スーパーインポーズ用のＬＥＤ部３５の色味を変更できるほか、バックライト部３７の色味をも変更することができる。
【００３５】
次に、色弱者の色弱モードの種別について図１１〜１５を参照して説明する。  
人間の目の網膜には、暗いときだけ働く杆体と明るいところだけで働く錐体の、２種類の視細胞がある。錐体にはＬ(赤)，Ｍ(緑), Ｓ(青)の３種類があり、どのような波長の光を主に感じるか(分光感度) が異なっている。  
Ｌ錐体(赤錐体)は主に黄緑〜赤に感度があり、Ｍ錐体(緑錐体)は主に緑〜黄緑に感度があり、Ｓ錐体(青錐体)は主に紫〜青に感度がある。
【００３６】
図１１はＣ型(正常者)における可視波長領域を示している。横軸は光の波長、縦軸は強度(レベル)を示している。  
３種類の錐体がすべて揃っている人がＣ型（一般型）の色覚で、日本人男性の約９５%、女性の９９％以上を占めている。
【００３７】
図１２はＰ型強度における可視波長領域を示し、図１３はＰ型弱度における可視波長領域を示している。  
Ｐ型色覚（Protanope）には、３種の錐体のうち赤い光を主に感じるＬ錐体が無い人（Ｐ型強度）と、Ｌ錐体の分光感度がずれてＭ錐体と似通ってしまっている人（Ｐ型弱度）がいる。Ｐ型強度，Ｐ型弱度はそれぞれ第１色盲，第１色弱とも呼ばれている。Ｐ型強度の人はＣ型との見え方の差が大きく、Ｐ型弱度の人はＰ型強度とＣ型との中間になる。
【００３８】
図１４はＤ型強度における可視波長領域を示し、図１５はＤ型弱度における可視波長領域を示している。  
Ｐ型色覚と同様にＤ型色覚（Deuteranope）には、緑の光を主に感じるＭ錐体が無い人（Ｄ型強度）と、Ｍ錐体の分光感度がずれてＬ錐体と似通ってしまった人（Ｄ型弱度）がいる。Ｄ型強度，Ｄ型弱度はそれぞれ第２色盲，第２色弱とも呼ばれている。Ｄ型強度の人はＣ型との見え方の差が大きく、Ｄ型弱度の人はＤ型強度とＣ型との中間になる。  
色弱者のほとんどはこの４タイプ（Ｐ型強度・Ｐ型弱度・Ｄ型強度・Ｄ型弱度）で、合計で男性のほぼ５%を占めている。（欧米では男性の８〜１０%、アフリカでは２〜４%である。）
本発明の実施形態によれば、カメラ１０のファインダ内のスーパーインポーズ等の発色に、３色ＬＥＤを用いてユーザ（色弱者、もちろん色弱者でなくても良い）が簡単に自分の見えやすい色に変更できるよう、カメラ背面ディスプレイに映し出されるメニュー画面を見ながらキー操作する。  
この時、メニュー画面では、色弱者のモード分類が表示されており、ユーザーが最初からマニュアルで操作するのではなく、モード分類を選択することによって、ほぼ全ての色弱者が自分にあった色弱種別の分類を選択でき、自分に適した発光色を容易に設定することができる。
【００３９】
さらに、各人にとって最大限まで視認性を高める為に、選んだ分類に基づく発光色からさらに微調整をすることで、簡単、かつ、最適な色味の調整が可能となる。  
本発明では、情報を表示するのに際して、色弱者を対象としており、色弱者モード時において簡単に各人の一番視認しやすい色に同調させることができる。  
ＬＥＤやＬＥＤ等の表示手段に表示する表示色を、色弱分類に応じた適切な発色帯に自動的に設定することによって、色弱者でも容易に情報を視認することが可能となる。
【００４０】
なお、図７のローチャートでは、ＬＥＤ等を実際に発光させた使用状態と同等な状態で、メニュー画面表示において、その実際に表示される発光色を見ながら適切な発光色に色調整し設定する方法を説明したが、実際にＬＥＤ等を発光させにることなくメニュー画面表示において、単なる色調整の機能のための表示を行い、表示される色を変えながら適切な色を選択し、その色に対応した発光色制御の制御値を保存しておき、実際の使用状態においては、保存してある制御値を用いて発光させるようにしてもよい。
【００４１】
また、以上述べた実施形態では、図２に示すようにカメラ１０のファインダ光学系の光学像に合焦点やシャッタースピード等をスーパーインポーズ表示する構成の情報表示装置について述べているが、本発明はこれに限定されることなく、電子ビューファインダ(ＥＶＦ)における電子画像にスーパーインポーズ表示する構成の情報表示装置に対しても適用することができる。  
また、以上述べた実施形態では、ファインダ内中央水平方向に所定間隔を置いて配置された３箇所の焦点検出領域のうち、ファーストレリーズ後に最初に焦点が合った時点で撮影レンズ５１のフォーカスレンズの駆動を停止するようにしたが、３箇所の焦点検出領域から所望の領域を撮影者の操作により選択できるようにし、この選択された領域に焦点が合うようにしてもよい。
【００４２】
また、ＬＥＤ部３５には３組のＬＥＤを配置したが、これに限る必要はなく、水平方向にさらに組数を増やしてもよいし、ＬＥＤを二次元状に配置してもよい。  
さらに、以上述べた実施形態では、スーパーインポーズＬＥＤの発光色は、シャッタボタンを半押ししたときなどに、フォーカスが合った場合の第１の発光色として、色弱者にとって見易い色を選択及び調整するだけではなく、フォーカスが合わなかった場合にも第１の色とは異なる第２の色を発光させるようにし、その第２の色についても色弱者にとって見易い色を選択及び調整できるようにしてもよい。
【００４３】
なお、本発明は上述した実施形態そのままに限定されるものではなく、実施段階ではその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素から幾つかの構成要素を削除しても良い。さらに、異なる実施形態にわたる構成要素を適宜組み合わせても良い。このように、発明の主旨を逸脱しない範囲内において種々の変形や応用が可能であることは勿論である。
【産業上の利用可能性】
【００４４】
本発明に関わるファインダ構成は、工業的に量産することが可能である為、産業上の利用可能性を有する。
【図面の簡単な説明】
【００４５】
【図１】本発明の一実施形態の情報表示装置のブロック図。
【図２】図１のカメラにおけるファインダ光学系の斜視図。
【図３】図２におけるスーパーインポーズ用のスクリーンの一例を示す正面図。
【図４】図２におけるスーパーインポーズ用のスクリーンの他の例を示す正面図。
【図５】ファインダを覗いた時の、スーパーインポーズ用ＬＥＤが発光し照射されている様子を示す図。
【図６】ＬＥＤドライバ部３４、及びＬＥＤ部３５の構成を示す回路図。
【図７】本実施形態の動作を説明するフローチャート。
【図８】カメラの背面図(ファインダ内表示色弱モード選択時)。
【図９】図８の背面パネルに映し出されるメニュー画面(Ｐ型弱度を選択時)を示す図。
【図１０】Ｃ型（正常者）選択時のメニュー画面を示す図。
【図１１】Ｃ型(正常者)における可視波長領域を示す特性図。
【図１２】Ｐ型強度における可視波長領域を示す特性図。
【図１３】Ｐ型弱度における可視波長領域を示す特性図。
【図１４】Ｄ型強度における可視波長領域を示す特性図。
【図１５】Ｄ型弱度における可視波長領域を示す特性図。
【符号の説明】
【００４６】
２２…ＬＣＤ部(情報表示手段)
２４…バックライト部
２５…バックライトドライバ部
２８…ＥＥＰＲＯＭ(色情報記憶手段)
３２…操作ボタン(選択手段)
３３…ＣＰＵ
３４…ＬＥＤドライバ部
３５…ＬＥＤ部(情報表示手段)
３９…ＬＣＤ部(情報表示手段)
４４…スーパーインポーズ用スクリーン
４７…ファインダ内ＬＥＤ及びＬＣＤ表示部
６１…ファインダ
６２…背面パネル
１０１…ファインダ内表示の拡大表示部
１０２…テーブル部(分類パターン表示部)
１０３…インジケータ部(色調整レベル表示部)
【図１】
2010122519.tif 000003
【図２】
2010122519.tif 000004
【図３】
2010122519.tif 000005
【図４】
2010122519.tif 000006
【図５】
2010122519.tif 000007
【図６】
2010122519.tif 000008
【図７】
2010122519.tif 000009
【図８】
2010122519.tif 000010
【図９】
2010122519.tif 000011
【図１０】
2010122519.tif 000012
【図１１】
2010122519.tif 000013
【図１２】
2010122519.tif 000014
【図１３】
2010122519.tif 000015
【図１４】
2010122519.tif 000016
【図１５】
2010122519.tif 000017